(57)【要約】【課題】加入者線の利用したＩＰ網において、通信の一部を有償で別のユーザに解放して二次利用を可能とする加入者線によるデータ通信の二次利用方法及びシステム装置の提供。【解決手段】加入者線Ｌを介し、家庭内通信設備αと、加入者管理装置８と記憶装置１３と決済サーバ１４を有する加入者通信設備β′と、を通してＩＳＰサーバ９，１１とデータ通信するシステム装置において、加入者管理装置８はユーザＸ，Ｙの識別ＩＤとパスワードとを暗号化してＩＳＰサーバ９，１１の認証サーバ１０，１２に問合わせ、その結果により接続を承認し、記憶装置１３は接続したユーザＸ，Ｙの識別ＩＤと加入者線Ｌの識別ＩＤを記憶し、決済サーバ１４は記憶装置１３にそれぞれ記憶させたユーザＸ，Ｙ毎の預金情報と接続履歴を元に、加入者線Ｌの利用ユーザＹから加入者線Ｌを所有するユーザＸへの加入者線Ｌの貸与対価を決済する、特徴的構成手段の採用。【選択図】図１
2004112683.tif 000002
【特許請求の範囲】
【請求項１】
非対象ディジタル加入者線や光ファイバーを代表例とする加入者線を利用したデータ通信によって、家庭内通信設備と、加入者線設備を通してインターネット・サービス・プロバイダー（以下、ＩＳＰ）サーバ手段と通信するに当り、
前記家庭内通信設備では、
まず、前記加入者線からイーサネット（登録商標）信号を変換手段にて取り出し、
次いで、当該イーサネット（登録商標）信号を元に、複数ユーザ端末手段と連動するルータ手段にて予め記憶しておいた複数の接続先と複数のユーザの識別ＩＤ及びパスワードを用いて同時に複数のサーバ手段と通信を確立し、
前記加入者線設備では、
まず、前記加入者線からイーサネット（登録商標）信号を変換手段にて取り出し、
次いで、集線手段にて当該イーサネット（登録商標）信号を束ね、
引続き、当該イーサネット（登録商標）信号を受信した加入者管理手段にて、前記ＩＳＰサーバ手段との接続を申請する前記ユーザの識別ＩＤとパスワードとを暗号化して当該ＩＳＰサーバ手段と連携する認証サーバ手段に問合わせ、その結果を元に接続を承認するとともに承認されたユーザ毎の接続を検出し、
その上、当該接続したユーザの識別ＩＤとその際に使用した前記加入者線の識別ＩＤとをその接続履歴ともども記憶手段にて記憶し、
さらに、当該記憶手段にそれぞれ記録したユーザ毎の預金情報と前記ユーザ毎の接続履歴を元に前記加入者線の利用ユーザから当該加入者線を所有するユーザへの当該加入者線の貸与対価を算出し、決済サーバ手段にて決済する、
ことを特徴とする加入者線によるデータ通信の二次利用方法。
【請求項２】
前記加入者線の利用ユーザから当該加入者線を所有するユーザへの貸与対価の算出は、
まず、接続したユーザの識別ＩＤ毎に前記ＩＳＰサーバ手段への接続時間を前記加入者管理手段にて検出し、
次いで、ユーザの前記識別ＩＤ毎に当該接続時間を累計して前記記憶手段に記憶し、
引続いて、前記決済サーバ手段にて当該累計した接続時間に時間単価を乗じて貸与対価を算出し決済する、
ことを特徴とする請求項１に記載の加入者線によるデータ通信の二次利用方法。
【請求項３】
前記加入者線の利用ユーザから当該加入者線を所有するユーザへの貸与対価の算出は、
まず、接続したユーザの識別ＩＤ毎に前記ＩＳＰサーバ手段と送受信したパケット数を前記加入者管理手段にて検出し、
次いで、ユーザの前記識別ＩＤ毎に累計して前記記憶手段にて記憶し、
引続き、前記決済サーバ手段にて当該累計したパケット数にパケット単価を乗じて貸与対価を算出し決済する、
ことを特徴とする請求項１に記載の加入者線によるデータ通信の二次利用方法。
【請求項４】
非対象ディジタル加入者線や光ファイバーを代表例とする加入者線を利用したデータ通信によって、家庭内通信設備と、加入者線設備を経由したインターネット・サービス・プロバイダ（ＩＳＰ）サーバとが通信するシステムを構築した装置において、
前記家庭内通信設備は、
前記加入者線からイーサネット（登録商標）信号を取り出す変換装置と、予め記憶しておいた複数の接続先と複数のユーザの識別ＩＤ及びパスワードを用いて複数のサーバと同時に通信するルータ装置と、有線あるいは無線によってルータ装置と接続する複数ユーザ端末とで構成され、
前記加入者線設備は、
前記加入者線からイーサネット（登録商標）信号を取り出す変換装置と、イーサネット（登録商標）信号を束ねる集線装置と、前記ＩＳＰサーバとの接続を申請する前記ユーザの識別ＩＤとパスワードとを暗号化して前記ＩＳＰサーバの認証サーバに問い合わせ、その結果を元に接続を承認するとともに承認されたユーザ毎の接続を検出する加入者管理装置と、当該接続したユーザの識別ＩＤとその際に使用した加入者線の識別ＩＤとをその接続履歴ともども記憶しておく記憶装置と、当該記憶装置にそれぞれ記録したユーザ毎の預金情報とユーザ毎の前記接続履歴とを元に、前記加入者線の利用ユーザから当該加入者線を所有するユーザヘの当該加入者線の貸与対価を決済する決済サーバとで構成される、
ことを特徴とする加入者線によるデータ通信の二次利用システム装置。
【請求項５】
前記加入者線の利用ユーザから当該加入者線を所有するユーザヘ貸与対価の算出をする前記加入者線設備は、
接続したユーザの識別ＩＤ毎に前記ＩＳＰサーバヘの接続時間を検出する前記加入者管理装置と、ユーザの当該識別ＩＤ毎に当該接続時間を累計して記憶する前記記憶装置と、当該累計した接続時間に時間単価を乗じて貸与対価を算出し決済する決済サーバとで構成される、
ことを特徴とする請求項４に記載の加入者線によるデータ通信の二次利用システム装置。
【請求項６】
前記加入者線の利用ユーザから当該加入者線を所有するユーザヘ貸与対価の算出をする前記加入者線設備は、
接続したユーザの識別ＩＤ毎に前記ＩＳＰサーバと送受信したパケット数を検出する前記加入者管理装置と、当該ユーザの識別ＩＤ毎に当該接続時間を累計して記憶する前記記憶装置と、当該累計したパケット数にパケット単価を乗じて貸与対価を算出し決済する決済サーバとで構成される、
ことを特徴とする請求項４に記載の加入者線によるデータ通信の二次利用システム装置。
【発明の詳細な説明】
【０００１】
【発明の属する技術分野】
本発明は、加入者線を利用したＩＰ網において、通信の一部を有償で別のユーザに解放して二次利用させる方法及びその実施に直接使用するシステム装置に関する。
【０００２】
【従来の技術】
ＡＤＳＬ技術や光ファイバ技術などの発展により、固定網加入者線を利用したＩＰ網での通信速度は飛躍的に向上している。条件が整えば、その通信速度は毎秒１０メガビットにも達し、一般家庭でのデータの送受信には十分な余裕を持つ。
【０００３】
例えば、この通信回線を動画データのリアルタイム配送に利用する場合、現在広く利用されている動画圧縮方式ＭＰＥＧ２の符号化レートは毎秒平均６メガビット相当であるため、差し引き約４メガビットの余裕がある。このような観点から、余剰となった通信回線容量を他のユーザに有償で貸与するサービスがいろいろと検討されている。
【０００４】
その典型例は「ホットスポット」と呼ばれる、ＩＥＥＥ８０２．１「シリーズなどの名称で国際的に規格化された無線ＬＡＮ技術を用いた携帯端末によるネットワークサービスである（例えば、後記公知文献１参照）。
【０００５】
実効的な通信速度は毎秒１〜５メガビットしか得られないが、電子メールやＨＴＭＬファイルの閲覧であれぱ十分実用的な速度であり、前述の通信回線容量の余剰ともほぼ一致する値である。喫茶店やホテルのロビーなどの場所でも、この「ホットスポット」を設置したネットワークサービスが始まっている。
【０００６】
図２は、家庭内通信設備αを保有する一般家庭などで、加入者線Ｌに無線ＬＡＮのアクセスポイント４を接続し、「ホットスポット」として運用する例を示す。ここでは、加入者線Ｌによる高速ネットワークアクセス利用者を加入者線ユーザＸ、「ホットスポット」を利用するユーザをホットスポットユーザＹと呼称して弁別する。
【０００７】
図２のデータ通信システム動作を説明する。加入者線ユーザＸは、屋内端末３を用いて途中加入者線網ＬＮ、ＩＰ網ＩＰＮを介してＩＳＰサーバ（インターネット・サービス・プロバイダサーバ）９に対するネットワークサービス要求を実行する。ネットワークサービスとは、例えば、電子メールの取得、ＨＴＭＬデータの閲覧などであ、屋内端末３はそれらのサービスを実行するサーバ９のグローバルＩＰアドレス又はドメインネーム及びＴＣＰ／ＩＰポート番号を受信先として指定する。
【０００８】
この結果、屋内端末３は、ルータ装置２に対し、ＷＡＮ側に向けてＩＰ通信を要求するパケットを発行する。ルータ装置２は屋内端末３のＷＡＮ側に対する通信要求パケットを検知し、ＩＳＰサーバ９とのセッションを確立する手順に入る。セッション確立形式はＰＰＰｏＥ（Ｐｏｉｎｔ−ｔｏ−Ｐｏｉｎｔ　Ｐｒｏｔｏｃｏｌ　ｏｖｅｒ　Ｅｔｈｅｒｎｅｔ（登録商標））に準じる（例えば、後記公知文献２参照）。
【０００９】
ルータ装置２は、まずＰＰＰｏＥディスカバリステージとして、ＰＡＤＩ（ＰＰＰｏＥ　Ａｃｔｉｖｅ　Ｄｉｓｃｏｖｅｒｙ　Ｉｎｉｔｉａｔｉｏｎ）パケットを、変換装置１、加入者線Ｌから加入者線設備β内の加入者線網ＬＮ、変換装置６、集線装置７を経由して、加入者管理装置８へ送出する。加入者管理装置８は、ＰＡＤＩパケットヘの返信としてＰＡＤＯ（ＰＰＰｏＥ　Ａｃｔｉｖｅ　Ｄｉｓｃｏｖｅｒｙ　Ｏｆｆｅｒ）パケットをルータ装置２に送出する。
【００１０】
ルータ装置２は、ＰＡＤＯパケットヘの返信としてＰＡＤＲ（ＰＰＰｏＥ　Ａｃｔｉｖｅ　Ｄｉｓｃｏｖｅｒｙ　Ｒｅｑｕｅｓｔ）パケットを加入者管理装置８へ送出し、加入者管理装置８は、再度この返信として、ＰＰＰｏＥセッションを区別するセッションＩＤを責めたＰＡＤＳ（ＰＰＰｏＥ　Ａｃｔｉｖｅ　Ｄｉｓｃｏｖｅｒｙ　Ｓｅｓｓｉｏｎ−ｃｏｎｆｉｒｍａｔｉｏｎ）パケットを送出し、ルータ装置２はセッションＩＤを入手する。
【００１１】
以下、入手したセッションＩＤに従い、ルータ装置２は、予め記憶しておいた、ＩＳＰサーバ９を識別するグローバルＩＰアドレス又はドメインネーム、加入者線ユーザＸのＩＳＰサーバ９に対するユーザＩＤとパスワードとを、ＣＨＡＰ／ＰＡＰ手順で加入者管理装置８へ送出する。
【００１２】
加入者管理装置８は、受け取ったグローバルＩＰアドレス又はドメインネームによってＩＳＰサーバ９を特定し、ＩＳＰサーバ９の認証サーバ１０に対してユーザＩＤとパスワードを暗号化して送出する。ユーザＩＤとパスワードが正当であれば、認証サーバ１０は接続を許可し、ＩＳＰサーバ９は、ルータ装置２に対し、ＷＡＮ側端末としてのグローバルＩＰアドレスを付与する。
【００１３】
ＩＳＰサーバ９からのグローバルＩＰアドレスを受領したルータ装置２は、ルータ装置２で持つＮＡＴ機能及びＩＰマスカレード機能によって、屋内端末３が発行したネットワークサービス要求を、ＩＳＰサーバ９及びそのサービス固有のＴＣＰ／ＩＰポート番号に対して送受信し、サービスを享受する。
【００１４】
ＰＰＰｏＥセッションの終了には３つの方法がある。
方法１：屋内端末３が、享受するサービスが完了し、屋内端末３とルータ装置２とのネットワーク接続が切られると、ルータ装置２は利用中のセッションＩＤを含めたＰＡＤＴ（ＰＰＰｏＥ　Ａｃｔｉｖｅ　Ｄｉｓｃｏｖｅｒｙ　Ｔｅｒｍｉｎａｔｅ）パケットを加入者管理装置８へ送出し、加入者管理装置８及びＩＳＰサーバ９に対してセッションの終了を宣言する。
【００１５】
方法２：加入者管理装置８が、ルータ装置２からのセッションの活性状態を確認するパケットを一定時間、例えば５分間受信できなかった場合、加入者管理装置８はルータ装置２へＰＡＤＴパケットを送出してルータ装置２及びＩＳＰサーバ９に対してセッションの終了を宣言する。
【００１６】
方法３：ルータ装置２が、加入者管理装置８からのセッションの活性状態を確認するパケットを一定時間、例えば３分間受信できなかった場合、ルータ装置２は加入者管理装置８へＰＡＤＴパケットを送出し、加入者管理装置８及びＩＳＰサーバ９に対してセッションの終了を宣言する。
【００１７】
ここで、一つの加入者線Ｌによるデータ通信を加入者線ユーザＸ以外に有償貸与する場合に課題となるのは、１加入者線ＬについてＰＰＰｏＥを同時に１セッションしか認めていない場合、加入者管理装置８はセッションＩＤによってセッションの発生から終了までを監視できるが、そのセッションを利用しているのがどのユーザかを把握していない点である。
【００１８】
加入者管理装置８は、ルータ装置２とのみ通信しているように判断していて、ルータ装置２の下で２人のユーザＸ，Ｙがそれぞれ異なる端末３，５を利用している図２のような状態を認識していない。すなわち加入者線Ｌに対して使用料は徴収できるが、その加入者線Ｌに繋がったユーザＸ，Ｙ毎に個別に貸与課金する判断材料がない。
【００１９】
また、加入者線ユーザＸがＩＳＰサーバ９との通信セッションを実行中に、ホットスポットユーザＹがＩＳＰサーバ１１と接続したい場合は、一旦通信セッションを終了した上で、改めてルータ装置２とＩＳＰサーバ１１とのセッションを確立しなければならず、効率的にも不便である。
【００２０】
これに対して、１加入者線ＬについてＰＰＰｏＥの複数セッションを認める加入者線も存在する。（例えば、後記公知文献２参照）。この場合は、ルータ装置２においても、同時に複数のセッションを構成しそれぞれ個別のサービスを受けられるマルチＮＡＴという機能を持つルータを適用できる。図２の例で言えば、加入者線ユーザＸが、屋内端末３を用いてＩＳＰサーバ９と接続し、同時にホットスポットユーザＹが、携帯端末５を用いてＩＳＰサーバ１１と接続できる状態が構成できる。
【００２１】
しかし、この場合でも、加入者管理装置８は、セッションＩＤによって複数のセッションの発生から終了までを監視できるが、どのユーザがそれぞれのセッションをどの程度利用しているのかは把握していない。この場合、各ユーザのＩＤと接続先であるＩＳＰサーバ９及び１１の情報が加入者管理装置８まで届いているので、問題は加入者管理装置８がその情報を蓄積していない点にある。
【００２２】
なお、公知文献１とは、日本アイ・ビー・エム株式会社、“ホットスポット　スターターキット”平成１４年３月１８日、［ｏｎｌｉｎｅ］、平成１４年８月２２日検索、インターネット＜ＵＲＬ：ｈｔｔｐ：／／ｗｗｗ−６．ｉｂｍ．ｃｏｍ／ｊｐ／ｐｃ／ｓｅｒｖｉｃｅ／ｈｏｔｓｐｏｔ／ｂｕｙ／ｉｎｄｅｘ．ｈｔｍｌ＞である。
【００２３】
又、公知文献２とは、東日本電信電話株式会社サービス開発部ネットワークサービス部門、“ＩＰ通信網サービスのインタフェース　−フレッツシリーズ−　第５版”、平成１４年６月２６日、［Ｏｎｌｉｎｅ］、平成１４年８月２２日検索、インターネット＜ＵＲＬ：ｈｔｔｐ：／／ｗｗｗ．ｎｔｔ−ｅａｓｔ．ｃｏ．ｊｐ／ｆｌｅｔｓ／ｐｄｆ／ｆｌｅｔｓ−ｔｅｃｈ．ｐｄｆ＞である。
【００２４】
【発明が解決しようとする課題】
上記のように、この問題の根源は、図２のルータ装置２よりもＬＡＮ側に何人ものユーザが通信を利用していたとしても、ルータ装置２から加入者線Ｌ（ＷＡＮ）側に関しては、ＷＡＮ側にあるサーバ等は、一つの加入者線Ｌに接続された一つの端末、すなわちルータ装置２とだけ通信している前提で、セッション毎の通信時間あるいは通信パケット量と言った情報を廃棄している点である。
【００２５】
課題の解決のためには、ＷＡＮ側、すなわち図２の加入者管理装置８において、この加入者線Ｌで発生した通信セッション毎に、どのユーザが、どの時間に利用開始及び終了していたかの把握が必要である。
【００２６】
１つのルータを複数のセッションで共有する場合、ＷＦＱ（Ｗｅｉｇｈｔｅｄ　Ｆａｉｒ　Ｑｕｅｕｅｉｎｇ）という技術によって、セッション毎の通信量の割り当て制御も可能であるが、それらのセッション間でのパケット量の調整がないルータも多く、本来複数セッション間で均等に利用すべき通信容量を特定のセッションだけが占有して他のセッションを排他する場合もある。
【００２７】
ここにおいて、本発明の解決すべき主要な目的は、次の通りである。
即ち、本発明の第１の目的は、加入者線を利用したＩＰ網において、通信の一部を有償で別のユーザに解放して二次利用を可能とする加入者線によるデータ通信の二次利用方法及びシステム装置を提供せんとするものである。
【００２８】
本発明の第２の目的は、加入者線ではセッション毎の時間課金制御が可能とする加入者線によるデータ通信の二次利用方法及びシステム装置を提供せんとするものである。
【００２９】
本発明の第３の目的は、更に必要に応じて、通信セッション毎に送受信したパケット数をカウントしておけば、通信量に応じた従量課金も可能とする加入者線によるデータ通信の二次利用方法及びシステム装置を提供せんとするものである。
【００３０】
本発明のその他の目的は、明細書、図面、特に特許請求の範囲の各請求項の記載から自ずと明らかとなろう。
【００３１】
【発明を解決するための手段】
本発明方法は、前記課題を解決するに当り、加入者線を利用したＩＰ網において、通信の一部を有償で別のユーザに解放して二次利用させるため、そのユーザの認証と使用時間あるいは送受信したパケット数の把握を行い、そのユーザの利用時間あるいは情報量に応じた対価を、ユーザから徴収し、加入者線を運営する通信業者から加入者線ユーザに支払うことで、ネットワーク設備を共用しつつ、多数のユーザに対する、加入者線を利用したＩＰ網の利用促進を計るようにした特徴的構成手法を講じる。
【００３２】
本発明装置は、前記課題の解決に当り、非対象ディジタル加入者線や光ファイバーなどの加入者線を利用したデータ通信によって、家庭内通信設備と、加入者線設備を経由したインターネット・サービス・プロバイダ（ＩＳＰ）サーバとが通信するシステムを構築した装置において、前記家庭内通信設備は、前記加入者線からイーサネット（登録商標）信号を取り出す変換装置と、予め記憶しておいた複数の接続先と複数のユーザの識別ＩＤ及びパスワードを用いて複数のサーバと同時に通信するルータ装置と、有線あるいは無線によってルータ装置と接続する端末とで構成され、前記加入者線設備は、前記加入者線からイーサネット（登録商標）信号を取り出す変換装置と、イーサネット（登録商標）信号を束ねる集線装置と、ＩＳＰサーバとの接続を申請する前記ユーザの識別ＩＤとパスワードとを暗号化して前記ＩＳＰサーバの認証サーバに問い合わせ、その結果を元に接続を承認する加入者管理装置と、接続したユーザの識別ＩＤとその際に使用した前記加入者線の識別ＩＤとを記憶しておく記憶装置と、当該記憶装置にそれぞれ記録したユーザ毎の預金情報とユーザ毎の接続履歴とを元に、前記加入者線の利用ユーザから当該加入者線を所有するユーザヘの加入者線の貸与対価を決済する決済サーバと、で構成されるようにした特徴的構成手段を講じる。
【００３３】
更に、具体的詳細に述べると、当該課題の解決では、本発明が次に列挙するそれぞれの新規な特徴的構成手法又は手段を採用することにより、前記目的を達成するように為される。
【００３４】
即ち、本発明方法の第１の特徴は、非対象ディジタル加入者線や光ファイバーを代表例とする加入者線を利用したデータ通信によって、家庭内通信設備と、加入者線設備を通してインターネット・サービス・プロバイダー（以下、ＩＳＰ）サーバ手段と通信するに当り、前記家庭内通信設備では、まず、前記加入者線からイーサネット（登録商標）信号を変換手段にて取り出し、次いで、当該イーサネット（登録商標）信号を元に、複数ユーザ端末手段と連動するルータ手段にて予め記憶しておいた複数の接続先と複数のユーザの識別ＩＤ及びパスワードを用いて同時に複数のサーバ手段と通信を確立し、前記加入者線設備では、まず、前記加入者線からイーサネット（登録商標）信号を変換手段にて取り出し、次いで、集線手段にて当該イーサネット（登録商標）信号を束ね、引続き、当該イーサネット（登録商標）信号を受信した加入者管理手段にて、前記ＩＳＰサーバ手段との接続を申請する前記ユーザの識別ＩＤとパスワードとを暗号化して当該ＩＳＰサーバ手段と連携する認証サーバ手段に問合わせ、その結果を元に接続を承認するとともに承認されたユーザ毎の接続を検出し、その上、当該接続したユーザの識別ＩＤとその際に使用した前記加入者線の識別ＩＤとをその接続履歴ともども記憶手段にて記憶し、さらに、当該記憶手段にそれぞれ記録したユーザ毎の預金情報と前記ユーザ毎の接続履歴を元に前記加入者線の利用ユーザから当該加入者線を所有するユーザへの当該加入者線の貸与対価を算出し、決済サーバ手段にて決済してなる、加入者線によるデータ通信の二次利用方法の構成採用にある。
【００３５】
本発明方法の第２の特徴は、上記本発明方法の第１の特徴における前記加入者線の利用ユーザから当該加入者線を所有するユーザへの貸与対価の算出が、まず、接続したユーザの識別ＩＤ毎に前記ＩＳＰサーバ手段への接続時間を前記加入者管理手段にて検出し、次いで、ユーザの前記識別ＩＤ毎に当該接続時間を累計して前記記憶手段に記憶し、引続いて、前記決済サーバ手段にて当該累計した接続時間に時間単価を乗じて貸与対価を算出し決済してなる、加入者線によるデータ通信の二次利用方法の構成採用にある。
【００３６】
本発明方法の第３の特徴は、上記本発明方法の第１の特徴における前記加入者線の利用ユーザから当該加入者線を所有するユーザへの貸与対価の算出が、まず、接続したユーザの識別ＩＤ毎に前記ＩＳＰサーバ手段と送受信したパケット数を前記加入者管理手段にて検出し、次いで、ユーザの前記識別ＩＤ毎に累計して前記記憶手段にて記憶し、引続き、前記決済サーバ手段にて当該累計したパケット数にパケット単価を乗じて貸与対価を算出し決済してなる、加入者線によるデータ通信の二次利用方法の構成採用にある。
【００３７】
本発明装置の第１の特徴は、非対象ディジタル加入者線や光ファイバーを代表例とする加入者線を利用したデータ通信によって、家庭内通信設備と、加入者線設備を経由したインターネット・サービス・プロバイダ（ＩＳＰ）サーバとが通信するシステムを構築した装置において、前記家庭内通信設備が、前記加入者線からイーサネット（登録商標）信号を取り出す変換装置と、予め記憶しておいた複数の接続先と複数のユーザの識別ＩＤ及びパスワードを用いて複数のサーバと同時に通信するルータ装置と、有線あるいは無線によってルータ装置と接続する複数ユーザ端末とで構成され、前記加入者線設備が、前記加入者線からイーサネット（登録商標）信号を取り出す変換装置と、イーサネット（登録商標）信号を束ねる集線装置と、前記ＩＳＰサーバとの接続を申請する前記ユーザの識別ＩＤとパスワードとを暗号化して前記ＩＳＰサーバの認証サーバに問い合わせ、その結果を元に接続を承認するとともに承認されたユーザ毎の接続を検出する加入者管理装置と、当該接続したユーザの識別ＩＤとその際に使用した加入者線の識別ＩＤとをその接続履歴ともども記憶しておく記憶装置と、当該記憶装置にそれぞれ記録したユーザ毎の預金情報とユーザ毎の前記接続履歴とを元に、前記加入者線の利用ユーザから当該加入者線を所有するユーザヘの当該加入者線の貸与対価を決済する決済サーバとで構成されてなる、加入者線によるデータ通信の二次利用システム装置の構成採用にある。
【００３８】
本発明装置の第２の特徴は、上記本発明装置の第１の特徴における前記加入者線の利用ユーザから当該加入者線を所有するユーザヘ貸与対価の算出をする前記加入者線設備が、接続したユーザの識別ＩＤ毎に前記ＩＳＰサーバヘの接続時間を検出する前記加入者管理装置と、ユーザの当該識別ＩＤ毎に当該接続時間を累計して記憶する前記記憶装置と、当該累計した接続時間に時間単価を乗じて貸与対価を算出し決済する決済サーバとで構成されてなる、加入者線によるデータ通信の二次利用システム装置の構成採用にある。
【００３９】
本発明装置の第３の特徴は、上記本発明装置の第１の特徴における前記加入者線の利用ユーザから当該加入者線を所有するユーザヘ貸与対価の算出をする前記加入者線設備が、接続したユーザの識別ＩＤ毎に前記ＩＳＰサーバと送受信したパケット数を検出する前記加入者管理装置と、当該ユーザの識別ＩＤ毎に当該接続時間を累計して記憶する前記記憶装置と、当該累計したパケット数にパケット単価を乗じて貸与対価を算出し決済する決済サーバとで構成されてなる、加入者線によるデータ通信の二次利用システム装置の構成採用にある。
【００４０】
本発明の方法又は装置は、前記のように構成するから、加入者線を利用したユーザからの加入者線を所有するユーザヘ貸与対価の算出の場合に、接続したユーザの識別ＩＤ毎にＩＳＰサーバ又は手段ヘの接続時間を加入者管理手段又は装置で検出して、記憶手段又は装置で記憶して累計し、累計した接続時間に時間単価を乗じて貸与対価を算出し、決済サーバ又は手段にてそれぞれのユーザの預金額から決済する。
【００４１】
あるいは、接続したユーザの識別ＩＤ毎にＩＳＰサーバ又は手段と送受信したパケット数を加入者管理手段又は装置で検出して、記憶装置で記憶して累計し、累計したパケット数にパケット単価を乗じて貸与対価を算出し、決済サーバ又は手段にてそれぞれのユーザの預金額から決済する。
【００４２】
要するに、加入者線及び加入者管理手段又は装置は、１つの回線で複数の通信セッションを同時に確立でき、また加入者線に接続するルータ手段又は装置もマルチＮＡＴ機能によって複数のグローバルＩＰアドレスを持った複数の通信セッションが同時に確立できる。
【００４３】
ルータ手段又は装置から加入者線を経由して複数の通信セッションを確立すると、加入者管理手段又は装置はそれぞれのセッションについてそのセッションを利用するユーザ情報、利用開始及び終了時間、送受信したパケット数などの通信セッションにかかわる情報を取得し、記憶手段又は装置に蓄積する。
【００４４】
結果、ある一定の使用期間で、ユーザ毎に、累積利用時間、累積パケット数が累計できるので、記憶手段又は装置から累計結果を得た決済サーバ又は手段が、累計結果に課金量を乗算して貸与金額を算出し、加入者線を利用したユーザの口座から、加入者線を所有するユーザの口座へ、所定の貸与金額を決済できる。
【００４５】
【発明の実施の形態】
（装置例）
図１は、本発明装置の実施態様例を示すシステム装置の構築ブロック図である。
図１の本装置例のシステム構築を説明する。
同図中、αは家庭内通信設備、β′は加入者線設備をそれぞれ示す。なお、図１の従来例と同一物は同一符号を付した。
【００４６】
ＬＡＮ側について、変換装置１は、加入者線Ｌからのディジタル信号をイーサネット（登録商標）用のディジタル信号に変換する装置で、非対象ディジタル加入者線（ＡＤＳＬ）ではＡＤＳＬスプリッタ及びＡＤＳＬモデムと呼称される装置、光加入者線（ＦＴＴＨ）ではＦＴＴＨ用メディアコンバータ等と呼称される装置である。
【００４７】
ルータ装置２は、変換装置１と送受信し、加入者線Ｌ（ＷＡＮ側）と送受信するイーサネット（登録商標）信号をルータ装置２に接続した屋内端末３やアクセスポイント４等のＬＡＮ側に分配（ルーティング）する装置である。
【００４８】
ルータ装置２は、一般にブロードバンドルータと呼ばれる装置であり、加入者管理装置８に対するユーザ認証接続機能を持つと共に、マルチＮＡＴ（Ｎｅｔｗｏｒｋ　Ａｄｄｒｅｓｓ　Ｔｒａｎｓｌａｔｏｒ）機能を有し、ＷＡＮ側におけるＩＰ網ＩＰＮのグローバルＩＰアドレス空間と、ＬＡＮ側におけるプライベートアドレス空間とそれぞれ異なるアドレスにマッピングして、ＷＡＮ側のＩＳＰサーバ９又は１１と、ＬＡＮ側の屋内端末３、アクセスポイント４及び携帯端末５とを同時にそれぞれ接続可能である。
【００４９】
また、ルータ装置２は、屋内端末３及び携帯端末５の接続に対してユーザ認証を実行した上でＷＡＮ側との接続を行う機能を有する。屋内端末３は、イーサネット（登録商標）で接続する通信装置であり、例えばパーソナルコンピュータである。アクセスポイント４は、無線ディジタル信号によって他の携帯端末５とデータ通信する無線ＬＡＮ接続装置で、例えば、ＩＥＥＥ８０２．１１ａ，ｂ，ｇ，ｈなどの規格に準拠した無線通信装置である。
【００５０】
アクセスポイント４は、携帯端末５のＭＡＣアドレスを記憶するＭＡＣアドレスフィルタリング機能によって、携帯端末５以外のＭＡＣアドレスの異なる端末との接続は拒否できる。携帯端末５は、アクセスポイント４と同様の通信規格に基づく無線通信装置を内蔵した端末で、例えば携帯パーソナルコンピュータやパーソナル・ディジタル・アシスタント（ＰＤＡ）と呼ばれる通信装置である。
【００５１】
ＷＡＮ側について、変換装置６は、変換装置１と同様に加入者線Ｌからのディジタル信号をイーサネット（登録商標）用のディジタル信号に変換する装置、集線装置７は、変換装置６で送受信する多数のチャンネルのイーサネット（登録商標）信号を多重化する装置、加入者管理装置８は、加入者線ユーザＸ及びホットスポットユーザＹのユーザＩＤとパスワードを受信して暗号化し認証サーバ１０あるいは１２に問い合わせてユーザ認証を実行するサーバ装置である。
【００５２】
ＩＳＰサーバ９及びＩＳＰサーバ１１は、それぞれ加入者線ユーザＸ及びホットスポットユーザＹが契約を締結しＩＰ網ＩＰＮ上でサービスを提供するインターネット・サービス・プロバイダ（ＩＳＰ）サーバ９，１１、認証サーバ１０及び１２は、加入者線ユーザＸ及びホットスポットユーザＹのユーザＩＤとパスワードを記憶したサーバであり、一般にＲＡＤＩＵＳ（Ｒｅｍｏｔｅ　Ａｕｔｈｅｎｔｉｃａｔｉｏｎ　Ｄｉａｌ−Ｉｎ　Ｕｓｅｒ　Ｓｅｒｖｉｃｅ）サーバと呼ばれる。
【００５３】
記憶装置１３は、加入者線Ｌを所有する利用者の預金情報のほか、加入者線ユーザＸ或はホットスポットユーザＹと言った、加入者線Ｌを利用可能なユーザのユーザＩＤと、そのユーザＩＤを持つ利用者の預金情報を組み合わせて保管している記憶装置であり、また加入者線ユーザＸ或はホットスポットユーザＹの加入者線Ｌの利用に対して、利用した加入者線番号、利用したＩＳＰサーバ９又は１１を識別するグローバルＩＰアドレス又はドメインネーム、ユーザＩＤ、利用時間の各情報を組として、利用の発生毎に記録し蓄積する。
【００５４】
決済サーバ１４は、預金情報サーバＸ１５及び預金情報サーバＹ１６と課金決済情報を送受信するサーバ、預金情報サーバＸ１５及び預金情報サーバＹ１６は、それぞれ加入者線ユーザＸとホットスポットユーザＹとが預金を持つ口座のサーバである。預金情報サーバＸ１５及び預金情報サーバＹ１６は、例えば、銀行の預金口座を管理するサーバであるが、また、例えば、プリペイド方式で利用料金を蓄積するサーバであっても良い。
【００５５】
（方法例）
前記装置例に適用する本発明の実施形態例を示す方法例を説明する。
説明上、加入者線ユーザＸは、ＩＳＰサーバ９の登録ユーザで、ホットスポットユーザＹは、ＩＳＰ１１の登録ユーザで、それぞれユーザＩＤとパスワードが認証サーバ１０及び１２に格納されている前提とする。
【００５６】
加入者線Ｌは、例えば、非対象ディジタル加入者線（ＡＤＳＬ）あるいは光加入者線（ＦＴＴＨ）のどららでも共通の処理を実施するが、ここではＦＴＴＨの場合を想定する。加入者線Ｌ及び変換装置１及び６の働きによって、集線装置７とルータ装置２とは、いわゆるポイント・ツー・ポイントの形で常時接続されている。
【００５７】
ルータ装置２は、加入者線ユーザＸ及びホットスポットユーザＹに関して、予めそれぞれのユーザに対しての情報を記憶しておく。
すなわち、例えば、加入者線ユーザＸに対しては、屋内端末３のＭＡＣアドレス、ＬＡＮ接続した際のローカルＩＰアドレス、ＩＳＰサーバ９を識別するグローバルＩＰアドレス又はドメインネーム、ＩＳＰサーバ９に登録してあるユーザＩＤとパスワードである。
【００５８】
ホットスポットユーザＹに対しては、携帯端末５のＭＡＣアドレス、ＬＡＮ接続した際のローカルＩＰアドレス、ＩＳＰサーバ１１を識別するグローバルＩＰアドレス又はドメインネーム、ＩＳＰサーバ１１に登録してあるユーザＩＤとパスワードが該当する。
【００５９】
加入者線ユーザＸが、ＩＳＰサーバ９に対してセッションを確立する実施手順は次の通りである。
加入者線ユーザＸは、屋内端末３を用いてＩＳＰサーバ９に対するネットワークサービス要求を実行する。ネットワークサービスとは、例えば、電子メールの取得、ＨＴＭＬデータの閲覧などであり、屋内端末３は、それらのサービスを実行するＩＳＰサーバ９のグローパルＩＰアドレス又はドメインネーム及びＴＣＰ／ＩＰポート番号を受信先として指定する。
【００６０】
この結果、屋内端末３は、ルータ装置２に対し、ＷＡＮ側に向けたＴＣＰ／ＩＰ通信あるいはＵＤＰ通信を要求するパケットを発行する。このとき、ルータ装置２には予め屋内端末３のローカルＩＰアドレスが登録されているため、屋内端末３のＷＡＮ側に対する通信要求パケットを検知し、ＩＳＰサーバ９との通信セッションを確立する実施手順に入る。
【００６１】
セッション確立形式は、ＰＰＰｏＥ（Ｐｏｉｎｔ−ｔｏ−Ｐｏｉｎｔ　Ｐｒｏｔｏｃｏｌ　ｏｖｅｒ　Ｅｔｈｅｒｎｅｔ（登録商標））に準じる。ルータ装置２は、ＰＡＤＩ（ＰＰＰｏＥ　Ａｃｔｉｖｅ　Ｄｉｓｃｏｖｅｒｙ　Ｉｎｉｔｉａｔｉｏｎ）パケットを、変換装置１、加入者線Ｌ、加入者線網ＬＮ、変換装置６、集線装置７を経由して、加入者管理装置８へ送出する。
【００６２】
加入者管理装置８は、ＰＡＤＩパケットヘの返信としてＰＡＤＯ（ＰＰＰｏＥ　Ａｃｔｉｖｅ　Ｄｉｓｃｏｖｅｒｙ　Ｏｆｆｅｒ）パケットをルータ装置２に送出し、ルータ装置２はＰＡＤＯパケットヘの返信としてＰＡＤＲ（ＰＰＰｏＥ　Ａｃｔｉｖｅ　Ｄｉｓｃｏｖｅｒｙ　Ｒｅｑｕｅｓｔ）パケットを加入者管理装置８へ送出し、加入者管理装置８は、再度この返信として、ＰＰＰｏＥセッションを区別するセッションＩＤを含めたＰＡＤＳ（ＰＰＰｏＥ　ＡｃｔｉｖｅＤｉｓｃｏｖｅｒｙ　Ｓｅｓｓｉｏｎ−ｃｏｎｆｉｒｍａｔｉｏｎ）パケットを送出し、ルータ装置２は、セッションＩＤを入手する。
【００６３】
以下、入手したセッションＩＤに従い、ルータ装置２は、予め記憶しておいた、ＩＳＰサーバ９を識別するグローバルＩＰアドレス又はドメインネーム、加入者線ユーザＸのＩＳＰサーバ９に対するユーザＩＤとパスワードとを、ＣＨＡＰ／ＰＡＰ実施手順で加入者管理装置８へ送出する。加入者管理装置８は、受け取ったグローバルＩＰアドレス又はドメインネームによってＩＳＰサーバ９を特定しＩＰ網ＩＰＮを通し、ＩＳＰサーバ９の認証サーバ１０に対してユーザＩＤとパスワードを暗号化して送出する。
【００６４】
ユーザＩＤとパスワードが、正当であれば、認証サーバ１０は接続を許可し、ＩＳＰサーバ９は、ルータ装置２に対し、ＷＡＮ側端末としてのグローバルＩＰアドレスを付与する。ＩＳＰサーバ９から途中ＩＰ網ＩＰＮ、加入者線網ＬＮ、加入者線Ｌを経てグローバルＩＰアドレスを受領したルータ装置２は、ルータ装置２で持つマルチＮＡＴ機能によって、屋内端末３が発行したネットワークサービス要求を、ＩＳＰサーバ９及びそのサービス固有のＴＣＰ／ＩＰポート番号に対して送受信し、サービスを享受する。
【００６５】
サービスの途中で、加入者管理装置８乃至ルータ装置２は、セッションの活性状態を確認する。この確認方法は、例えばＬＣＰ（Ｌｉｎｋ　Ｃｏｎｔｒｏｌ　Ｐｒｏｔｏｃｏｌ）のエコー・リクエスト・パケットを加入者管理装置８ないしルータ装置２から送信して、受信したルータ装置２ないし加入者管理装置８がエコー・リプライ・パケットを返信すればセッションか活性状態である、等のように判定する。
【００６６】
セッションの切断には３つの方法がある。屋内端末３が享受するサービスが完了し、屋内端末３とルータ装置２とのネットワーク接続が切られると、ルータ装置２は利用中のセッションＩＤを含めたＰＡＤＴ（ＰＰＰｏＥ　Ａｃｔｉｖｅ　Ｄｉｓｃｏｖｅｒｙ　Ｔｅｒｍｉｎａｔｅ）パケットを加入者管理装置８へ送出し、加入者管理装置８及びＩＳＰサーバ９に対してＰＰＰｏＥセッションの切断を実行する。
【００６７】
また、加入者管理装置８が、ルータ装置２からの、セッションの活性状態を確認するパケットを一定時間、例えば５分間受信できなかった場合、加入者管理装置８は、ルータ装置２へ利用中のセッションＩＤを含めたＰＡＤＴパケットを送出してルータ装置２及びＩＳＰサーバ９に対してＰＰＰｏＥセッションの切断を実行する。
【００６８】
あるいは、ルータ装置２が、加入者管理装置８からのセッションの活性状態を確認するパケットを一定時間、例えば３分間受信できなかった場合、ルータ装置２は利用中のセッションＩＤを含めたＰＡＤＴパケットを加入者管理装置８へ送出し、加入者管理装置８及びＩＳＰサーバ９に対してＰＰＰｏＥセッションの切断を実行する。
【００６９】
ここで、加入者管理装置８がセッションＩＤを含めたＰＡＤＳパケットを発行してから、加入者管理装置８がセッション終了を意味するＰＡＤＴパケット受信乃至発信するまでが、加入者線ユーザＸが、加入者線Ｌによるデータ通信を実行した時間と見なせる。また、この時間内にルータ装置２とＩＳＰサーバ９とで送受信したパケット数も加入者管理装置８で把握できる。
【００７０】
加入者管理装置８は、この時間情報とパケット送受信量をそれぞれ取得し、加入者線ユーザＸの加入者線番号、ＩＳＰサーバ９を識別するグローバルＩＰアドレス又はドメインネーム、加入者線ユーザＸのＩＳＰサーバ９に対するユーザＩＤと共に、記憶装置１３に記録する。
【００７１】
一方、携帯端末５を所有するホットスポットユーザＹが、ＩＳＰｌ１に対してセッションを確立する実施手順は次の通りである。
ホットスポットユーザＹは、アクセスポイント４を介し、携帯端末５を用いてルータ装置２へ接続する。ルータ装置２への接続にあたり、アクセスポイント４は、ＭＡＣアドレスフィルタリングによって携帯端末５だけの接続を許可し、ホットスポットユーザＹ以外の接続を排除する。
【００７２】
また、アクセスポイント４が、ＩＥＥＥ８０２．１１ｂのような無線規格に準拠していれば、携帯端末５とアクセスポイント４との間でＥＳＳ−ＩＤやＷＥＰキーと言った相互取り決めを要する認証方式の搭載によって、接続の可否をより強固にできる。
【００７３】
携帯端末５は、ＩＳＰサーバ１１に対し、電子メールの取得、ＨＴＭＬデータの閲覧などのネットワークサービス要求を、それらのサービスを実行するＩＳＰサーバ１１のグローバルＩＰアドレス又はドメインネーム及びＴＣＰ／ＩＰポート番号を宛先として実行する。この結果、携帯端末５は、ルータ装置２に対し、ＷＡＮ側に向けたＴＣＰ／ＩＰ通信あるいはＵＤＰ通信を要求するパケットを発行する。
【００７４】
このとき、ルータ装置２には予め携帯端末５のローカルＩＰアドレスが登録されているため、携帯端末５のＷＡＮ側に対する通信要求パケットを検知し、ＩＳＰサーバ１１とのセッションを確立する実施手順に入る。
セッション確立形式は前述の加入者線ユーザＸの場合と同様に、ＰＰＰｏＥに準じる。ルータ装置２は、ＰＡＤパケットを、変換装置１、加入者線Ｌ、加入者線網ＬＮ、変換装置６、集線装置７を経由して、加入者管理装置８へ送出する。
【００７５】
加入者管理装置８は、ＰＡＤパケットヘの返信としてＰＡＤＯパケットをルータ装置２に送出し、ルータ装置２はＰＡＤＯパケットヘの返信としてＰＡＤＲパケットを加入者管理装置８へ送出し、加入者管理装置８は、再度この返信としてＰＰＰｏＥセッションを区別するセッションＩＤを含めたＰＡＤＳパケットを送出し、ルータ装置２は、セッションＩＤを入手する。
【００７６】
以下、入手したセッションＩＤに従い、ルータ装置２は、予め記憶しておいた、ＩＳＰサーバ１１を識別するグローバルＩＰアドレス又はドメインネーム、ホットスポットユーザＹのＩＳＰサーバ１１に対するユーザＩＤとパスワードとを、ＣＨＡＰ／ＰＡＰ手順で加入者管理装置８へ送出する。加入者管理装置８は、受け取ったグローバルＩＰアドレス又はドメインネームによってＩＳＰサーバ１１を特定し、ＩＳＰサーバ１１の認証サーバ１２に対してユーザＩＤとパスワードを暗号化して送出する。
【００７７】
ユーザＩＤとパスワードが、正当であれば、認証サーバ１２は、接続を許可し、ＩＳＰサーバ１１は、ルータ装置２に対し、ＷＡＮ側端末としてのグローバルＩＰアドレスを付与する。このとき、前述のようにＩＳＰサーバ９との接続確立によってルータ装置２にＩＳＰサーバ９が付与したグローバルＩＰアドレスが存在していれば、ルータ装置２は、ＩＳＰサーバ１１の付与したグローバルＩＰアドレスと合わせて２つのグローバルＩＰアドレスを持つことになるが、これはルータ装置２のマルチＮＡＴ機能で衝突を回避する。
【００７８】
ＩＳＰサーバ１１からのグローバルＩＰアドレスを受領したルータ装置２は、ルータ装置２で持つＮＡＴ機能及びＩＰマスカレード機能によって、携帯端末５が発行したネットワークサービス要求を、ＩＳＰサーバ１１及びそのサービス固有のＴＣＰ／ＩＰポート番号に対して送受信し、サービスを享受する。セッションの活性状態を確認する方法は、前述の加入者線ユーザＸがＩＳＰサーバ９を利用する場合と同一である。
【００７９】
セッションの切断には３つの方法がある。携帯端末５が享受するサービスが完了し、携帯端末５とルータ装置２とのネットワーク接続が切られると、ルータ装置２は利用中のセッションＩＤを含めたＰＡＤＴパケットを加入者管理装置８へ送出し、加入者管理装置８及びＩＳＰサーバ１１に対してＰＰＰｏＥセッションの切断を実行する。
【００８０】
また、加入者管理装置８が、ルータ装置２からの、セッションの活性状態を確認するパケットを一定時間、例えば、５分間受信できなかった場合、加入者管理装置８は、ルータ装置２へ利用中のセッションＩＤを含めたＰＡＤＴパケットを送出してルータ装置２及びＩＳＰサーバ１１に対してＰＰＰｏＥセッションの切断を実行する。
【００８１】
あるいは、ルータ装置２が、加入者管理装置８からのセッションの活性状態を確認するパケットを一定時間、例えば、３分間受信できなかった場合、ルータ装置２はセッションＩＤを含めたＰＡＤＴパケッ卜を加入者管理装置８へ送出し、加入者管理装置８及びＩＳＰサーバ１１に対してＰＰＰｏＥセッションの切断を実行する。
【００８２】
ここで、加入者管理装置８が、セッションＩＤを含めたＰＡＤＳパケットを発行してから、加入者管理装置８が、セッション終了を意味するＰＡＤＴパケット受信ないし発信するまでが、ホットスポットユーザＹが、加入者線ユーザＸの加入者線Ｌを利用してデータを実行した時間と見なせる。
【００８３】
また、この時間内にルータ装置２とＩＳＰサーバ１１とで送受信したパケット数も加入者管理装置８で把握できる。加入者管理装置８は、この時間情報とパケット送受信量をそれぞれ取得し、加入者線ユーザＸの加入者線番号、ＩＳＰサーバ１１を識別するグローバルＩＰアドレス又はドメインネーム、ホットスポットユーザＹのＩＳＰサーバ１１に対するユーザＩＤと共に、記憶装置１３に記録する。
【００８４】
上記のような利用方法の結果、記憶装置１３では、加入者線ユーザＸの加入者線番号毎に、加入者線ユーザＸがＩＳＰサーバ９を利用した利用時間及び送受信したパケット数の記録、ホットスポットユーザＹがＩＳＰサーバ１１を利用した利用時間及び送受信したパケット数の記録が蓄積されている。記憶装置１３ではこれを一定期間、例えば月単位で、何時間何分何秒の利用で、送受信したパケット数が何パケットというように集計する。
【００８５】
加入者線Ｌを運営する電気通信事業者は、ＩＳＰサーバ９及びＩＳＰサーバ１１をルータ装置２と接続したインターネット・サービスを実現するための、加入者線Ｌ、加入者線網ＬＮ、変換装置６、集線装置７は、加入者管理装置８、記憶装置１３、決済サーバ１４の運営費用として、例えば、月単位で、加入者線ユーザＸの預金から加入者線使用料を決済する。決済処理は、決済サーバ１４から預金情報サーバ１５に対して課金情報を送受信して実行する。
【００８６】
同時に、加入者線ユーザＸあるいはホットスポットユーザＹから、加入者線Ｌを貸与した加入者線ユーザＸに対する貸借決済を実行する。貸借金額は、例えば、１ヶ月間の利用に対する使用時間に対する従量課金で、例えば、１分間（１分未満切上げ）につき５円の課金とする、あるいは、１パケット０．１円として送受信したパケットの数に乗じて課金とする、あるいは１ヶ月間の使用時間やパケット数にかかわらず定額とする、などの方法がある。
【００８７】
ここで、記憶装置１３を参照すれば、ユーザＩＤ毎の利用者情報と加入者線Ｌの所有者情報は突合できるため、加入者線ユーザＸから加入者線ユーザＸ自身への貸借決済は加入者線ユーザＸの金銭の増減が発生しないため実行しない。ホットスポットユーザＹの貸借金額は、ホットスポットユーザＹが口座を持つ預金情報サーバＹ１６から決済サーバ１４を介して加入者線ユーザＸが口座を持つ預金情報サーバＸ１５へ送られ、貸借決済を完了する。
【００８８】
以上のように、１加入者線Ｌにおけるデータ通信を、加入者線ユーザＸの利用だけでなく、予め加入者線ユーザＸの承認を受けた別のホットスポットユーザＹヘの有償貸与を実現する場合、ホットスポットユーザＹ毎の利用区分をＰＰＰｏＥセッションで管理し、そのセッションを利用したホットスポットユーザＹと利用時間あるいは通信量の情報を加入者線Ｌ側の加入者管理装置８によって把握し蓄積すれば、使用時間や通信量による従量課金や、月額定額のような形で決済が可能となる。
【００８９】
以上、本発明の代表的な装置例、方法例について説明したが、本発明は必ずしも当該装置例の手段及び当該方法例の手法等だけに限定されるものではない。本発明の目的を達成し、後述する効果を有する範囲内において適宜変更して実施することが出来るものである。
【００９０】
【発明の効果】
本発明では、加入者線を利用したＩＰ網において、データ通信の一部を別のユーザに有償貸与する場合に、そのユーザ情報、使用時間、あるいは送受信パケット数を把握して、そのユーザの利用時間あるいは送受信したパケット量に応じた対価を算出し、その対価を利用ユーザから加入者線を所有するユーザヘ支払うことで、結果として加入者線の増加によらず多数のユーザで共用可能なＩＰ網サービスを提供できる等の効果を奏する。
【図面の簡単な説明】
【図１】本発明による実施形態例を示すシステム装置の構築ブロック図である。
【図２】従来の加入者線によるデータ通信のシステム構築例である。
【符号の説明】
１，６…変換装置
２…ルータ装置
３…屋内端末
４…アクセスポイント
５…携帯端末
７…集線装置
８…加入者管理装置
９，１１…ＩＳＰサーバ
１０，１２…認証サーバ
１３…記憶装置
１４…決済サーバ
１５，１６…預金情報サーバ
α…家庭内通信設備
β，β′…加入者線設備
Ｌ…加入者線
ＬＮ…加入者線網
ＩＰＮ…ＩＰ網
【図１】
2004112683.tif 000003
【図２】
2004112683.tif 000004